(57)【要約】【課題】ロック機構を備えたカバー装置をフロアに設けた場合に、閉じた際にカバーが浮き上がって、上から加わる力により破損などが生じるのを防止する。【解決手段】フロア１０に形成した開口１１を、一側が係止されたカバー１５により覆い、他側はロック機構２０により離脱可能に係止する。ロック機構は、カバーに回転可能に支持されて半径方向突出部２２ａが形成された掛止部材２２と、フロアに固定されて掛止部材の突出部が通過可能な切欠き２４ａを有するロック穴２４が形成されたブラケット２３よりなり、カバーは突出部を切欠きに合わせた状態で開閉され、掛止部材を回転することによりロックされる。掛止部材には突出部の裏側から下方に突出するガイド２５を設ける。掛止部材の突出部とロック穴の切欠きは各１対とし、ガイドはコ字状に折曲した丸棒としてその両端を各突出部の裏側に固着するのがよい。【選択図】　　図１
2004050919.tif 000002
【特許請求の範囲】
【請求項１】
開口が設けられたフロアに一側が係止されこの一側とは反対側となる他側が開放可能となるように取り付けられて前記開口を覆うカバーと、このカバーの前記他側を前記フロアに離脱可能に係止するロック機構を備え、このロック機構は、前記カバーの他側の裏側に同カバーと直交する軸線回りに回転可能に支持されて半径方向の突出部が形成された掛止部材と、前記フロアに固定されて前記掛止部材と対応する位置に前記突出部が通過可能な切欠きを有するロック穴が形成されたブラケットよりなるものとし、前記突出部の位置を前記切欠きの位置に合わせた状態では前記掛止部材は前記ロック穴内に挿入離脱自在であり、前記掛止部材がロック穴内に挿入され前記カバーが前記フロアに当接して前記開口を覆った状態で前記掛止部材を回転すれば前記突出部が前記切欠きから外れた前記ロック穴の縁部に係合して前記掛止部材が前記ロック穴から離脱しなくなるよう構成したロック機構を備えたカバー装置において、前記掛止部材には前記突出部の裏側から前記カバーと反対方向に突出するガイドを設けたことを特徴とするロック機構を備えたカバー装置。
【請求項２】
請求項１に記載のロック機構を備えたカバー装置において、前記半径方向の突出部は１対として前記掛止部材の回転軸線と直交する直径方向に整列して形成し、前記ロック穴の切欠きは前記各突出部に対応する１対としたことを特徴とするロック機構を備えたカバー装置。
【請求項３】
請求項１または請求項２に記載のロック機構を備えたカバー装置において、前記ガイドの先端の前記ブラケットと当接する部分には円弧状の面取りを施したことを特徴とするロック機構を備えたカバー装置。
【発明の詳細な説明】
【０００１】
【発明の属する技術分野】
本発明は、車両のフロアに設けたサービスホールなどの開口を覆うロック機構を備えたカバー装置に関する。
【０００２】
【従来の技術】
宅配便などに使用する車両には、荷室のフロアの下側に設けたバッテリなどのサービスのためのサービスホール（開口）を設け、これをロック機構を備えたカバー装置により覆ったものがある。これは例えば図４〜図６に示すように、フロア１０に設けられたサービスホール１１を、一側がフック１８により係止される板金製のカバー１５により覆い、カバー１５のフック１８と反対側となる部分をロック機構２０Ａによりフロア１０に離脱可能に係止したものである。このロック機構２０Ａは、カバー１５にはフック１８と反対側に設けた挿通穴１６に通したつまみ２１のボス部２１ａの下端に掛止部材２２をねじ止め固定し、フロア１０に補強材１２を介して固定したブラケット２３の掛止部材２２と対応する位置にはロック穴２４を形成したものである。掛止部材２２はその回転軸線と直交する直径方向に整列して１対の半径方向突出部２２ａを形成した板金部材であり、ロック穴２４には各突出部２２ａと対応する１対の切欠き２４ａが形成されている。
【０００３】
このロック機構２０Ａは、つまみ２１により突出部２２ａの位置を切欠き２４ａの位置に合わせた状態では、掛止部材２２がロック穴２４内に挿入離脱自在であって、カバー１５は図５の実線で示す位置と二点鎖線１５Ａに示す位置の間で、フック１８による係止位置付近を中心として多少角度揺動可能である。掛止部材２２がロック穴２４内に挿入され、実線で示すようにカバー１５がフロア１０に当接してサービスホール１１を覆った状態で、つまみ２１により掛止部材２２を回転すれば、突出部２２ａは切欠き２４ａから外れたロック穴２４の縁部の裏側に係合され、掛止部材２２がロック穴２４から離脱しなくなるのでカバー１５はロックされる。
【０００４】
【発明が解決しようとする課題】
しかしながら上述した従来技術では、カバー１５をサービスホール１１に近づけた状態では掛止部材２２およびロック穴２４はカバー１５の裏側に隠れて見えないので、図６の二点鎖線２２Ａに示すように突出部２２ａと切欠き２４ａの位置が合っていない状態でカバー１５を閉じることがあり、その場合は図７に示すように、掛止部材２２の突出部２２ａがロック穴２４の周辺となるブラケット２３の上面に当たり、ロック機構２０Ａを設けた側となるカバー１５はフロア１０の表面から多少浮き上がる。荷室内での作業者がこれに気づかずにカバー１５を踏んだり重量物を置いたりすると、掛止部材２２の突出部２２ａまたはカバー１５が変形したり破損したりしてロック機構２０が機能を果たさなくなるという問題がある。本発明はこのような問題を解決することを目的とする。
【０００５】
【課題を解決するための手段】
このために、本発明によるロック機構を備えたカバー装置は、開口が設けられたフロアに一側が係止されこの一側とは反対側となる他側が開放可能となるように取り付けられて開口を覆うカバーと、このカバーの他側をフロアに離脱可能に係止するロック機構を備え、このロック機構は、カバーの他側の裏側に同カバーと直交する軸線回りに回転可能に支持されて半径方向の突出部が形成された掛止部材と、フロアに固定されて掛止部材と対応する位置に突出部が通過可能な切欠きを有するロック穴が形成されたブラケットよりなるものとし、突出部の位置を切欠きの位置に合わせた状態では掛止部材はロック穴内に挿入離脱自在であり、掛止部材がロック穴内に挿入されカバーがフロアに当接して開口を覆った状態で掛止部材を回転すれば突出部が切欠きから外れたロック穴の縁部に係合して掛止部材がロック穴から離脱しなくなるよう構成したロック機構を備えたカバー装置において、掛止部材には突出部の裏側からカバーと反対方向に突出するガイドを設けたことを特徴とするものである。
【０００６】
前項に記載のロック機構を備えたカバー装置は、掛止部材の半径方向突出部は１対として掛止部材の回転軸線と直交する直径方向に整列して形成し、ロック穴の切欠きは各突出部に対応する１対とすることが好ましい。
【０００７】
前２項に記載のロック機構を備えたカバー装置は、ガイドの先端のブラケットと当接する部分には円弧状の面取りを施すことが好ましい。
【０００８】
【発明の作用および効果】
上述のように、本発明によれば、ロック機構の掛止部材には突出部の裏側からカバーと反対方向に突出するガイドを設けたので、突出部と切欠きの位置が合っていない状態でカバーを閉じようとすると、掛止部材の突出部に設けたガイドの先端がロック穴の周辺となるブラケットの上面に当たって、カバーのロック機構を設けた側はフロアの表面から大きく浮き上がる。このようにカバーはフロアから大きく浮き上がるので作業者は直ちにこれに気づき、突出部が切欠き内に入るように掛止部材を回転して、カバーがフロアに当接するようにすることができる。従ってフロアの表面から浮き上がったカバーを踏んだり重量物を置いたりして、掛止部材の突出部やカバーを変形させたり破損させたりするおそれはなくなる。
【０００９】
掛止部材の半径方向の突出部は１対として掛止部材の回転軸線と直交する直径方向に整列して形成し、ロック穴の切欠きは各突出部に対応する１対とするようにしたロック機構を備えたカバー装置によれば、突出部と切欠きの位置が合っていない状態から合った状態にするために掛止部材を回転する際の、掛止部材の回転角およびカバーのロック機構側の上下動が少なくなるので、突出部と切欠きをの位置を合わせるための掛止部材の回転が容易になる。
【００１０】
ガイドの先端のブラケットと当接する部分には円弧状の面取りを施したロック機構を備えたカバー装置によれば、突出部と切欠きの位置が合っていない状態から合った状態にするために掛止部材を回転する際のガイドの先端とブラケットとの間の摺動が円滑に行われるので、突出部と切欠きをの位置を合わせるための回転が円滑になる。
【００１１】
【発明の実施の形態】
以下に、図１〜図３に示す実施の形態により、本発明によるロック機構を備えたカバー装置の説明をする。この実施の形態は、先に説明した従来技術に本発明を適用したものであり、本発明の要部であるガイドを除く構造は先に説明した従来技術のものと同一であるので、ガイドおよび先に説明を省略した部分につき主として説明する。
【００１２】
図１は、図３の二点鎖線２２Ａに示すように、掛止部材２２の突出部２２ａの位置がロック穴２４の切欠き２４ａの位置と合っていない状態でフロア１０にカバー１５を取り付け、ガイド２５の先端がロック穴２４の周辺となるブラケット２３の上面に当接してカバー１５のロック機構２０側が大きく浮き上がった状態の断面図であり、図２はカバー１５がフロア１０の表面に当接されてロック機構２０によりロックされた状態の断面図である。図１および図２に示すように、サービスホール１１の一側となるフロア１０にねじ止め固定された浅いＺ形断面形状のフック１８とフロア１０の表面との間には板金製のカバー１５の一側が差し込まれて、カバー１５はこの係止部付近を中心として多少角度揺動可能に係止され、カバー１５のフック１８と反対側となる部分はロック機構２０により離脱可能にフロア１０に係止されるようになっている。
【００１３】
ロック機構２０は、フロア１０側に取り付けられるブラケット２３と、カバー１５側に取り付けられるつまみ２１、掛止部材２２およびガイド２５よりなるものである。つまみ２１は同軸的に形成されたボス部２１ａがカバー１５の挿通穴１６に回転可能に差し込まれ、カバー１５の下側に突出するボス部２１ａの先端には掛止部材２２の中心部がねじ止め固定されている。掛止部材２２は、ボス部２１ａに固定される中心部に、つまみ２１の回転軸線と直交する直径方向に互いに反対向きに整列された１対の半径方向突出部２２ａが形成された板金部材である。各突出部２２ａの先端部の裏側には、突出部２２ａの幅よりやや小径の丸棒をコ字状に折曲したガイド２５の両先端が溶接などにより、突出部２２ａからカバー１５と反対方向に突出するように固定されている。ガイド２５の折曲部の外側の曲率半径は、その丸棒の直径よりも相当大きい値となる。
【００１４】
ブラケット２３は帯板をハット状に折曲した板金部品で、ロック機構２０の下側となるサービスホール１１内の一側を通る補強材１２に溶接などにより取り付けられている。上面がフロア１０の表面とほゞ一致するブラケット２３の頂部には、サービスホール１１を覆うように係止されたカバー１５に設けた掛止部材２２と対応する位置にロック穴２４が形成されている。図３に示すように、ロック穴２４は掛止部材２２の中央部より大径の丸穴に、掛止部材２２の突出部２２ａおよびガイド２５が通過可能な１対の切欠き２４ａを直径方向に対向して形成したものである。
【００１５】
図３に示すように、掛止部材２２（およびガイド２５）は、つまみ２１をつかんで回すことにより、突出部２２ａがロック穴２４と合う開閉位置（実線位置参照）と切欠き２４ａから外れたロック穴２４の縁部に係合するロック位置（例えば二点鎖線２２Ａ参照）の間で回転可能である（矢印Ｒ参照）。なお図示は省略したが、掛止部材２２とカバー１５の間には、回転をこの開閉位置とロック位置の間に制限するストッパを設けるのがよい。
【００１６】
つまみ２１により掛止部材２２を開閉位置とした状態で、カバー１５の一側をフック１８とフロア１０の間に差し込み係止してカバー１５を閉じれば、中央部を除く掛止部材２２およびガイド２５はロック穴２４から下側に通り抜けて、カバー１５はフロア１０の表面に当接される。そしてこの状態でつまみ２１により掛止部材２２およびガイド２５を時計回転方向に回転してロック位置とすれば、突出部２２ａが切欠き２４ａから外れたロック穴２４の下縁部に係合して掛止部材２２がロック穴２４から離脱しなくなり、カバー１５はロックされる（図２参照）。このロック位置からつまみ２１により掛止部材２２およびガイド２５を反時計回転方向に回転して開閉位置とすれば、カバー１５を開きフック１８とフロア１０の間から引き抜いてサービスホール１１は開放することができる。
【００１７】
掛止部材２２がロック位置または開閉位置から外れた状態で、カバー１５の一側をフック１８の下側に差し込んでカバー１５を閉じようとすれば、図１に示すように、各突出部２２ａの先端部の裏側からカバー１５と反対方向に突出するように設けられたガイド２５の先端の折曲部付近がロック穴２４の周辺となるブラケット２３の上面に当たるので、ロック機構２０を設けた側となるカバー１５はフロア１０の表面から大きく浮き上がる。このようにカバー１５はフロア１０から大きく浮き上がるので作業者は直ちにこの異常に気づき、突出部２２ａが切欠き２４ａ内に入るように掛止部材２２をつまみ２１により回して、カバー１５がフロア１０に当接するようにしてロックすることができる。従ってフロア１０の表面から浮き上がったカバー１５を踏んだり重量物を置いたりして、掛止部材２２の突出部２２ａやカバー１５を変形させたり破損させたりするおそれはなくなる。
【００１８】
そして作業者は、つまみ２１により掛止部材２２およびガイド２５を回転して開閉位置とし、ロック穴２４内に入るようにしてカバー１５をフロア１０の表面に当接するように閉じ、再び掛止部材２２およびガイド２５を回転してカバー１５をロックしてから、荷室内の作業を行えばよい。この掛止部材２２およびガイド２５を開閉位置とするための回転の際には、ガイド２５の先端はブラケット２３の上面に対し摺動される。ガイド２５は切欠き２４ａと完全に合致する直前に切欠き２４ａ内に落ち込み、次いで突出部２２ａも切欠き２４ａ内に入るので、掛止部材２２およびガイド２５を開閉位置にするための操作は、きわめて容易である。
【００１９】
上述した実施の形態では、掛止部材２２の半径方向の突出部２２ａは１対として掛止部材２２の回転軸線と直交する直径方向に整列して形成し、ロック穴２４の切欠き２４ａも各突出部２２ａに対応して１対を形成するようにしており、このようにすれば図１と図３の二点鎖線２２Ａに示すように突出部２２ａ（およびガイド２５）と切欠き２４ａの位置が合っていない状態から合った状態にするために掛止部材２２を回転する際の、掛止部材２２の回転角およびカバー１５のロック機構２０側の上下動は、掛止部材２２の突出部２２ａを片側に１個だけ設けた場合に比して半分程度になるので、このような修正のための掛止部材２２の回転が容易になる。しかしながら本発明はこれに限られるものではなく、掛止部材２２の突出部２２ａを１個として実施することもできる。この場合のガイド２５は、先端部を半球状にした丸棒とすればよい。
【００２０】
また上述した実施の形態では、ガイド２５をコ字状に折曲した丸棒としてその両端を各突出部２２ａの裏側に固着しており、このようにすればガイド２５の先端のブラケット２３と当接する部分の曲率半径が大きくなり、この当接部分の摺動が円滑になるので、掛止部材２２を図１に示すような開閉位置にない状態から、開閉位置にする際の回転が円滑に行われ、しかもガイド２５は丸棒を曲げるだけであるので製造も容易である。しかしながら本発明はこれに限られるものではなく、ガイド２５を板金部材としその先端のブラケット２３と当接する部分に円弧状の面取りを施したものとして実施することも可能である。
【００２１】
なお上記実施の形態では、カバー１５は、フック１８とフロア１０の間に一側を差し込んでフロア１０に係止して、この係止部付近を中心として多少角度揺動可能としているが、カバー１５の一側はヒンジを用いて揺動自在にフロア１０に取り付けてもよい。またカバー１５の一側も、このようにフック１８またはヒンジによりフロア１０に取り付ける代わりに、ロック機構２０によりフロア１０に着脱可能に係止するようにしてもよい。
【図面の簡単な説明】
【図１】本発明によるロック機構を備えたカバー装置の一実施形態の、ロック機構のガイドの先端がロック穴の周辺となるブラケットの上面に当接してカバーのロック機構側が大きく浮き上がった状態を示す断面図である。
【図２】図１に示す実施形態の、カバーがフロアの表面に当接されてロック機構によりロックされた状態を示す断面図である。
【図３】図２の３−３断面図である。
【図４】従来技術によるロック機構を備えたカバー装置の一例の平面図である。
【図５】図４の５−５断面図である。
【図６】図５の６−６断面図である。
【図７】図４に示す従来技術の、ロック機構の掛止部材の突出部がロック穴の周辺となるブラケットの上面に当接してカバーのロック機構側が多少浮き上がった状態を示す部分断面図である。
【符号の説明】
１０…フロア、１１…開口（サービスホール）、１５…カバー、２０…ロック機構、２２…掛止部材、２２ａ…突出部、２３…ブラケット、２４…ロック穴、２４ａ…切欠き、２５…ガイド。
【図１】
2004050919.tif 000003
【図２】
2004050919.tif 000004
【図３】
2004050919.tif 000005
【図４】
2004050919.tif 000006
【図５】
2004050919.tif 000007
【図６】
2004050919.tif 000008
【図７】
2004050919.tif 000009